(57)【要約】【課題】悪意がない遊技客を救済することができると同時に、収支データの不整合を防止すること。【解決手段】記憶部２０４は、発行された特殊景品の発行リスト２０４ａ、買取所にて買い取られた特殊景品の買取リスト２０４ｂ、発行されたものの買取所で買い取られていない特殊景品の未買取リスト２０４ｃ、および発行日が書き換えられた特殊景品の書換リスト２０４ｄを記憶する。景品ＩＤ照合部２０７は、期限切れ景品のＩＤを未買取リスト２０４ｃと照合する。発行日判定部２０８は、期限切れ景品の買取期間を超過しているか否かを判定する。発行日書換部２１０は、期限切れ景品が正当なものであり、かつ期限切れ景品の買取期間を超過している場合に、この期限切れ景品の発行日を当日の日付に書き換え、新たな発行日（書換日）およびＩＤを旧発行日および旧ＩＤに対応付けて書換リスト２０４ｄに登録する。【選択図】        図２
2007135765.tif 000002
【特許請求の範囲】
【請求項１】
遊技店で発行されたすべての景品に関する景品情報が登録された発行リストを記憶している景品管理装置であって、
遊技客が所持する景品に記録された当該景品の景品発行日を取得する取得手段と、
前記取得手段によって取得された景品発行日から所定期間以上経過しているか否かを判定する判定手段と、
前記判定手段によって所定期間以上経過していると判定された場合に、前記景品の景品発行日を現在の日付に変換する変換手段と、
前記変換手段によって景品発行日が変換された景品の景品情報を前記発行リストの景品情報と区別して記憶する変換リストと
を有することを特徴とする景品管理装置。
【請求項２】
前記変換手段は、
前記景品に記録された景品発行日を現在の日付に書き換え、
前記変換リストは、
書換後の景品発行日を書換前の景品発行日に関連付けて記憶することを特徴とする請求項１記載の景品管理装置。
【請求項３】
前記変換手段は、
前記景品を新規に発行される景品と交換し、
前記変換リストは、
新規に発行された景品の景品発行日を交換前の景品発行日に関連付けて記憶することを特徴とする請求項１記載の景品管理装置。
【請求項４】
前記発行リストに登録された景品情報のうち未買取の景品の景品情報を記憶する未買取リストと、
前記変換リストに記憶された景品情報に基づいて前記未買取リストを更新する更新手段と
をさらに有することを特徴とする請求項１記載の景品管理装置。
【請求項５】
前記更新手段は、
前記変換リストに景品情報が記憶された景品が買い取られた場合に、前記未買取リストから前記景品の景品情報を削除することを特徴とする請求項４記載の景品管理装置。
【請求項６】
遊技客が所持する景品の景品情報が前記未買取リストに記憶されているか否か照合する照合手段をさらに有し、
前記変換手段は、
前記照合手段による照合の結果、前記景品情報が前記未買取リストに記憶されている場合のみ、前記景品の景品発行日を現在の日付に変換することを特徴とする請求項４記載の景品管理装置。
【請求項７】
遊技店で発行されたすべての景品に関する景品情報が登録された発行リストを記憶している景品管理装置における景品管理方法であって、
遊技客が所持する景品に記録された当該景品の景品発行日を取得する取得工程と、
前記取得工程にて取得された景品発行日から所定期間以上経過しているか否かを判定する判定工程と、
前記判定工程にて所定期間以上経過していると判定された場合に、前記景品の景品発行日を現在の日付に変換する変換工程と、
前記変換工程にて景品発行日が変換された景品の景品情報を前記発行リストの景品情報と区別して記憶する記憶工程と
を有することを特徴とする景品管理方法。
【発明の詳細な説明】
【技術分野】
【０００１】
本発明は、遊技店で発行されたすべての景品に関する景品情報が登録された発行リストを記憶している景品管理装置および景品管理方法に関し、特に、悪意がない遊技客を救済することができると同時に、収支データの不整合を防止することができる景品管理装置および景品管理方法に関する。
【背景技術】
【０００２】
一般に、パチンコ店やパチスロ店などの遊技店においては、遊技客が遊技によって獲得した玉やメダルなどの遊技媒体が特殊景品と呼ばれる景品に交換され、遊技客が取得した特殊景品は、買取所にて買い取られて回収され、さらに買取所から遊技店へ戻される。このような特殊景品の流通過程において、人為的な誤りや偽造などの不正を防止するため、例えば特許文献１においては、様々な情報を記録可能なＩＣカードなどの記録媒体を特殊景品として用い、記録される情報を利用した特殊景品のチェックを行い、特殊景品の正当性が担保される場合にのみ買取所で特殊景品が買い取られるようにしている。
【０００３】
【特許文献１】特開平８−２５７２１９号公報
【発明の開示】
【発明が解決しようとする課題】
【０００４】
特殊景品としてＩＣカードなどが用いられる場合には、さらにセキュリティを強化するため、特殊景品に発行日を記録しておき、買取所での買い取りが可能な買取期間を設けることが考えられる。すなわち、遊技店において特殊景品が発行されてから、買取所において買い取り可能な期間を例えば１日（発行当日）に限定しておくことにより、特殊景品の回収までに偽造やコピーなどに必要な時間がなく、不正を抑制することができる。
【０００５】
しかしながら、特殊景品の買取期間を徒過すると、悪意がない遊技客が誤って持ち帰った特殊景品も不正なものとみなされてしまい、買取所での買い取りが不可能になるという問題がある。これに対処するため、遊技客が後日遊技店に持参した特殊景品については、正当なものであることが遊技店の係員によって確認された場合には、例えば当日発行の買取可能な特殊景品に交換するなどといった救済措置が考えられる。
【０００６】
ここで発行される特殊景品は、当日に獲得された遊技媒体に応じて新規に発行されたものではないため、当日の収支計算では例外として扱う必要が生じる。そして、収支計算での例外が発生するため、上述の救済措置を採る場合には、収支データの管理が煩雑になり、日単位の収支に不整合が発生する恐れがある。
【０００７】
本発明はかかる点に鑑みてなされたものであり、悪意がない遊技客を救済することができると同時に、収支データの不整合を防止することができる景品管理装置および景品管理方法を提供することを目的とする。
【課題を解決するための手段】
【０００８】
上記課題を解決するために、本発明は、遊技店で発行されたすべての景品に関する景品情報が登録された発行リストを記憶している景品管理装置であって、遊技客が所持する景品に記録された当該景品の景品発行日を取得する取得手段と、前記取得手段によって取得された景品発行日から所定期間以上経過しているか否かを判定する判定手段と、前記判定手段によって所定期間以上経過していると判定された場合に、前記景品の景品発行日を現在の日付に変換する変換手段と、前記変換手段によって景品発行日が変換された景品の景品情報を前記発行リストの景品情報と区別して記憶する変換リストとを有することを特徴とする。
【０００９】
また、本発明は、上記発明において、前記変換手段は、前記景品に記録された景品発行日を現在の日付に書き換え、前記変換リストは、書換後の景品発行日を書換前の景品発行日に関連付けて記憶することを特徴とする。
【００１０】
また、本発明は、上記発明において、前記変換手段は、前記景品を新規に発行される景品と交換し、前記変換リストは、新規に発行された景品の景品発行日を交換前の景品発行日に関連付けて記憶することを特徴とする。
【００１１】
また、本発明は、上記発明において、前記発行リストに登録された景品情報のうち未買取の景品の景品情報を記憶する未買取リストと、前記変換リストに記憶された景品情報に基づいて前記未買取リストを更新する更新手段とをさらに有することを特徴とする。
【００１２】
また、本発明は、上記発明において、前記更新手段は、前記変換リストに景品情報が記憶された景品が買い取られた場合に、前記未買取リストから前記景品の景品情報を削除することを特徴とする。
【００１３】
また、本発明は、上記発明において、遊技客が所持する景品の景品情報が前記未買取リストに記憶されているか否か照合する照合手段をさらに有し、前記変換手段は、前記照合手段による照合の結果、前記景品情報が前記未買取リストに記憶されている場合のみ、前記景品の景品発行日を現在の日付に変換することを特徴とする。
【００１４】
また、本発明は、遊技店で発行されたすべての景品に関する景品情報が登録された発行リストを記憶している景品管理装置における景品管理方法であって、遊技客が所持する景品に記録された当該景品の景品発行日を取得する取得工程と、前記取得工程にて取得された景品発行日から所定期間以上経過しているか否かを判定する判定工程と、前記判定工程にて所定期間以上経過していると判定された場合に、前記景品の景品発行日を現在の日付に変換する変換工程と、前記変換工程にて景品発行日が変換された景品の景品情報を前記発行リストの景品情報と区別して記憶する記憶工程とを有することを特徴とする。
【発明の効果】
【００１５】
本発明によれば、遊技客が所持する景品に記録された当該景品の景品発行日を取得し、取得された景品発行日から所定期間以上経過しているか否かを判定し、所定期間以上経過していると判定された場合に、景品の景品発行日を現在の日付に変換し、景品発行日が変換された景品の景品情報を発行リストの景品情報と区別して変換リストに記憶する。このため、買取期間を超過した特殊景品が買取所で買取可能になるとともに、景品発行日を変換するという例外的な処理については通常の特殊景品の発行と区別して管理して、悪意がない遊技客を救済することができると同時に、収支データの不整合を防止することができる。
【００１６】
また、本発明によれば、景品に記録された景品発行日を現在の日付に書き換え、書換後の景品発行日を書換前の景品発行日に関連付けて変換リストに記憶するため、景品発行日が新しくなって買取期間が実質的に延長されるとともに、景品発行日の書換前後の景品情報を混同することなく、確実に管理することができる。
【００１７】
また、本発明によれば、景品を新規に発行される景品と交換し、新規に発行された景品の景品発行日を交換前の景品発行日に関連付けて変換リストに記憶するため、景品発行日が新しくなって買取期間が実質的に延長されるとともに、景品の交換前後の景品情報を混同することなく、確実に管理することができる。
【００１８】
また、本発明によれば、発行リストに登録された景品情報のうち未買取の景品の景品情報を未買取リストに記憶し、変換リストに記憶された景品情報に基づいて未買取リストを更新するため、変換リストの内容を未買取リストに反映して、変換リストと未買取リストにおける不整合を防止することができる。
【００１９】
また、本発明によれば、変換リストに景品情報が記憶された景品が買い取られた場合に、未買取リストから景品の景品情報を削除するため、買い取られた景品の景品情報が未買取リストに記憶されているという矛盾を解消することができる。
【００２０】
また、本発明によれば、遊技客が所持する景品の景品情報が前記未買取リストに記憶されているか否か照合し、照合の結果、景品情報が未買取リストに記憶されている場合のみ、景品の景品発行日を現在の日付に変換する。このため、遊技店で正当に発行された景品のみを買取可能にし、偽造・複製などによる不正な景品が買取可能になることを防止することができる。
【発明を実施するための最良の形態】
【００２１】
以下、本発明の実施の形態について、図面を参照して詳細に説明する。なお、以下においては、玉を遊技媒体とするパチンコ店を例に挙げて説明するが、メダルを遊技媒体とするパチスロ店などの遊技店でも同様に本発明を適用することができる。また、以下の遊技店においては、特殊景品がＩＣカードであるものとするが、本発明における特殊景品は、ＩＤや発行日などを記録することができる記録媒体であればいかなるものでも良い。
【００２２】
図１は、本発明の実施の形態に係る景品交換システムの概略を示す図である。本発明の景品交換システムは、遊技店が遊技を行って特殊景品などの景品を獲得する遊技店と獲得された特殊景品を買い取る買取所とから構成されている。そして、遊技店内で遊技客が特殊景品を獲得すると、この特殊景品は、買取所へ持参されて買い取られる。買取所からは、買い取った特殊景品に関する買取リストが遊技店へフィードバックされる。
【００２３】
図１に示す景品交換システムおいて、遊技店では、遊技店全体を統括管理するホールコンピュータ１０に景品管理装置２０、計数機３０、および島コントローラ４０が接続されており、さらに島コントローラ４０にカードユニット５０およびパチンコ機６０が接続されている。また、買取所には景品読取機７０が設置されている。
【００２４】
ホールコンピュータ１０は、遊技店全体の装置を統括管理しており、遊技媒体である玉の貸し出しや景品の払い出しなどの状況から遊技店における収支を管理している。また、本実施の形態においては、ホールコンピュータ１０は、例えば遊技店の閉店時など日単位の収支データの締め時に景品管理装置２０から特殊景品の買い取りに関するリストの報告を受ける。
【００２５】
景品管理装置２０は、遊技客が遊技によって獲得した玉数に応じてＩＤや発行日が記録されたＩＣカードを特殊景品として発行する。また、景品管理装置２０は、発行された特殊景品のＩＤや発行日などを発行リストとして記憶しておくとともに、買取所からフィードバックされる買取リストを記憶する。そして、景品管理装置２０は、遊技店の締め時に、当日の特殊景品の買い取りに関するリストをホールコンピュータ１０へ一括して報告する。なお、景品管理装置２０の詳しい動作については後述する。
【００２６】
計数機３０は、遊技客が遊技によって獲得した玉を計数し、計数結果が記載されたレシートを発行する。このレシートは、遊技客によって景品管理装置２０へ持参され、レシートに記載された玉数が読み取られることにより、玉数に応じた景品が景品管理装置２０から発行される。
【００２７】
島コントローラ４０は、「島」と呼ばれる複数のカードユニット５０およびパチンコ機６０のまとまりごとに設置されており、島に属するカードユニット５０およびパチンコ機６０を管理し、カードユニット５０およびパチンコ機６０における収支をホールコンピュータ１０へ報告する。
【００２８】
カードユニット５０は、遊技客が図示しないカード発行機などにおいて購入したプリペイドカードが挿入されると、プリペイドカードに価値付けられた有価価値を上限として、遊技媒体である玉を併設されたパチンコ機６０へ投出する。
【００２９】
パチンコ機６０は、玉を誘導する釘が打たれた盤面を有しており、併設されたカードユニット５０から投出された玉を遊技客の操作によって盤面に射出し、盤面上の所定の入賞口に玉が進入したり盤面上の電光掲示板の数字が揃ったりするなどの特定の条件が満たされた場合に賞球を排出する。
【００３０】
景品読取機７０は、遊技客が遊技店から持参した特殊景品が挿入されると、特殊景品の発行日を読み取って買取期間を超過しているか否かをチェックするとともに、買取期間を超過していない場合は、特殊景品の買取金額を読み取る。そして、買取所では、景品読取機７０によって読み取られた買取金額で特殊景品が買い取られる。さらに買取所では、１日の特殊景品の買い取りに関する買取リストが作成され、遊技店の閉店時などの締め時に買取リストが遊技店へ持ち込まれる。
【００３１】
以下、上記のような景品交換システムに備えられた景品管理装置２０に関する２つの実施の形態を具体的に説明する。なお、以下の実施の形態においては、景品管理装置２０が特殊景品の発行や買取期間を超過した特殊景品に記録された情報の読み取りを行うものとして説明するが、特殊景品を発行する景品払出機や特殊景品に記録された情報を読み取る景品読取機は景品管理装置と別体として構成するようにしても良い。また、以下においては、買取所における特殊景品の買取期間を発行当日のみとして説明するが、本発明は、買取期間が発行当日のみ以外の場合も適用可能である。
【００３２】
（実施の形態１）
図２は、本発明の実施の形態１に係る景品管理装置２０の要部構成を示すブロック図である。図２に示す景品管理装置２０は、玉数読取部２０１、景品数算出部２０２、景品発行部２０３、記憶部２０４、未買取リスト生成部２０５、景品情報読取部２０６、景品ＩＤ照合部２０７、発行日判定部２０８、表示部２０９、発行日書換部２１０、未買取リスト更新部２１１、およびリスト報告部２１２を有している。
【００３３】
玉数読取部２０１は、計数機３０にて発行されたレシートから遊技客が遊技によって獲得した玉数を読み取り、景品数算出部２０２へ通知する。景品数算出部２０２は、レシートに記載された玉数に応じた景品数を算出し、景品発行部２０３へ通知する。具体的には、景品数算出部２０２は、レシートに記載された玉数と交換可能な特殊景品数および特殊景品とは交換されずに余る余り玉の数を算出し、景品発行部２０３へ通知する。景品発行部２０３は、景品数算出部２０２によって算出された数の特殊景品を発行する。このとき、景品発行部２０３は、特殊景品に固有のＩＤおよび発行日を記録し、特殊景品を発行すると同時にＩＤおよび発行日を記憶部２０４へ出力する。
【００３４】
記憶部２０４は、特殊景品の発行および買い取りに関するリストを記憶する。具体的には、記憶部２０４は、景品発行部２０３によって発行された特殊景品のリストである発行リスト２０４ａ、買取所にて買い取られた特殊景品のリストである買取リスト２０４ｂ、発行されたものの買取所で買い取られていない特殊景品のリストである未買取リスト２０４ｃ、および発行日書換部２１０によって発行日が書き換えられた特殊景品のリストである書換リスト２０４ｄ（特許請求の範囲の「変換リスト」に対応）を記憶する。
【００３５】
発行リスト２０４ａは、例えば図３−１に示すように、景品発行部２０３によって発行された特殊景品のＩＤ、発行日、および種類などを列挙したリストである。図３−１において、特殊景品の種類とは、各特殊景品の買取金額を示すものであり、例えば大が５０００円、中が２５００円、小が１０００円などと定められている。発行リスト２０４ａは、景品発行部２０３によって特殊景品が発行される際に、発行される特殊景品のＩＤ、発行日、および種類を追加していくことにより生成される。そして、発行リスト２０４ａは、遊技店の締め時に買取リスト２０４ｂが記憶部２０４に登録されると、未買取リスト生成部２０５によって買取リスト２０４ｂとともに読み出されて消去される。つまり、発行リスト２０４ａは、１日ごとにリセットされる。
【００３６】
買取リスト２０４ｂは、例えば図３−２に示すように、景品発行部２０３によって発行された特殊景品のうち、買取所において買い取られた特殊景品のＩＤ、発行日、および種類などを列挙したリストである。買取リスト２０４ｂは、買取所において生成され、遊技店の締め時に例えば係員が遊技店へ持参することにより、景品管理装置２０の記憶部２０４に登録される。そして、買取リスト２０４ｂは、未買取リスト生成部２０５によって発行リスト２０４ａとともに読み出されて消去される。つまり、買取リスト２０４ｂは、１日ごとにリセットされる。
【００３７】
未買取リスト２０４ｃは、例えば図３−３に示すように、景品発行部２０３によって発行された特殊景品のうち、買取所において未だ買い取られていない特殊景品のＩＤ、発行日、および種類などを列挙したリストである。未買取リスト２０４ｃは、遊技店の締め時に発行リスト２０４ａおよび買取リスト２０４ｂから未買取リスト生成部２０５によって生成される。また、未買取リスト２０４ｃには、各特殊景品に関してフラグ欄が設けられており、書換リスト２０４ｄに登録された特殊景品であるか否かが確認できるようになっている。未買取リスト２０４ｃは、１日ごとにリセットされることはなく、買取所で買い取られていない特殊景品の情報が蓄積されていく。ただし、未買取リスト２０４ｃに登録されてから所定期間が経過した特殊景品については、情報を削除するなどとしても良い。
【００３８】
書換リスト２０４ｄは、例えば図４に示すように、未買取リスト２０４ｃに記録されている特殊景品のうち、発行日書換部２１０によって発行日が書き換えられて買取可能となった特殊景品のＩＤ、書換日、種類、旧ＩＤ、および旧発行日などを列挙したリストである。書換リスト２０４ｄは、発行されたものの発行当日（すなわち、買取期間内）に買取所で買い取られず、後日遊技客が遊技店に持参して発行日が書き換えられた特殊景品の一覧である。この書換リスト２０４ｄが記憶部２０４に記憶されていることにより、特殊景品の発行日を書き換えて再び買取可能にするという例外的な処理を行っても、収支データの管理を効率的に行って整合性を確保することができる。
【００３９】
未買取リスト生成部２０５は、遊技店の締め時に買取リスト２０４ｂが買取所からフィードバックされて記憶部２０４に登録されると、発行リスト２０４ａおよび買取リスト２０４ｂから未買取リスト２０４ｃを生成する。すなわち、未買取リスト生成部２０５は、発行リスト２０４ａに記録された特殊景品のうち、買取リスト２０４ｂに列挙されていない特殊景品が未買い取りであると判断し、これらの特殊景品を列挙して未買取リスト２０４ｃを生成する。具体的には、例えば図３−１に示した発行リスト２０４ａにおけるＩＤ「００２３６５９０」およびＩＤ「００２３６５９１」の特殊景品は、図３−２に示した買取リスト２０４ｂに列挙されていないため、図３−３に示した未買取リスト２０４ｃに挙げられることになる。また、未買取リスト生成部２０５は、買取リスト２０４ｂに登録されており、かつ発行リスト２０４ａに登録されていない特殊景品がある場合、この特殊景品は発行日が書き換えられた上で買い取られたものであることを未買取リスト２０４ｃのフラグによって確認し、フラグが立っていることが確認された場合に、この特殊景品に関する情報を削除する。
【００４０】
景品情報読取部２０６は、遊技客が持参した買取期間を超過した特殊景品（以下「期限切れ景品」という）に記録されたＩＤや発行日などの景品情報を読み取り、景品ＩＤ照合部２０７へ出力する。
【００４１】
景品ＩＤ照合部２０７は、景品情報読取部２０６によって読み取られた期限切れ景品のＩＤを未買取リスト２０４ｃ中のＩＤと照合し、一致するものがあるか否か判定する。未買取リスト２０４ｃが発行後買い取られていない特殊景品のリストであるため、期限切れ景品が正当な特殊景品であれば、景品ＩＤ照合部２０７によるＩＤの照合の結果、一致するものがあることになる。一方、期限切れ景品が不正な特殊景品であるか、期限切れ景品が発行当日のものであれば、この特殊景品は未買取リスト２０４ｃに登録されておらず、景品ＩＤ照合部２０７によるＩＤの照合の結果、一致するものがないことになる。景品ＩＤ照合部２０７は、期限切れ景品のＩＤと一致する特殊景品が未買取リスト２０４ｃに登録されていない場合、エラーメッセージを表示する旨を表示部２０９へ指示する。
【００４２】
発行日判定部２０８は、期限切れ景品のＩＤと一致する特殊景品が未買取リスト２０４ｃに登録されていた場合、景品情報読取部２０６によって読み取られた期限切れ景品の発行日を参照し、期限切れ景品の買取期間を超過しているか否かを判定する。ここでは、特殊景品の買取期間を発行当日のみとしたため、期限切れ景品の発行日が前日以前であれば買取期間を超過していることになる。そして、発行日判定部２０８は、期限切れ景品の買取期間を超過していれば、その旨を発行日書換部２１０へ通知し、期限切れ景品の買取期間を超過していなければ、エラーメッセージを表示する旨を表示部２０９へ指示する。
【００４３】
表示部２０９は、景品ＩＤ照合部２０７によるＩＤ照合の結果、期限切れ景品が不正なものであるか発行当日のものである場合や、発行日判定部２０８による発行日判定の結果、期限切れ景品の買取期間を超過していない場合に、それぞれの場合に即したエラーメッセージを表示する。すなわち、表示部２０９は、遊技客が持参した期限切れ景品が不正である旨のエラーメッセージや、買取期間を超過しておらずそのまま買取所において買取可能である旨のエラーメッセージなどを表示する。
【００４４】
発行日書換部２１０は、景品ＩＤ照合部２０７によるＩＤ照合の結果、期限切れ景品が正当なものであり、かつ発行日判定部２０８による発行日判定の結果、期限切れ景品の買取期間を超過している場合に、この期限切れ景品の発行日を当日の日付に書き換え、新たにＩＤを割り当てて、新たな発行日（書換日）およびＩＤを旧発行日および旧ＩＤに対応付けて書換リスト２０４ｄに登録する。なお、発行日書換部２１０は、発行日を書き換えた期限切れ景品のＩＤについては、景品発行部２０３によって発行される特殊景品のＩＤと区別できるものにしても良い。すなわち、例えば景品発行部２０３から発行される特殊景品のＩＤには図３−１に示すように「０」から始まるＩＤが付与されるのに対し、発行日書換部２１０は、期限切れ景品のＩＤには、図４に示すように「１」から始まるＩＤを付与する。
【００４５】
未買取リスト更新部２１１は、未買取リスト２０４ｃにおいて、書換リスト２０４ｄに登録された期限切れ景品に関する情報に特定のフラグを立て、未買取リスト２０４ｃを更新する。期限切れ景品は、発行日書換部２１０によって発行日が書き換えられることにより買取可能となって、買取所で買い取られることになるため、未買取リスト２０４ｃにおいて他の特殊景品と区別される。なお、発行日が書き換えられた期限切れ景品のＩＤが景品発行部２０３によって発行される特殊景品のＩＤと区別されている場合は、未買取リスト２０４ｃにおいて期限切れ景品に関する情報にフラグを立てなくても良い。これは、フラグが無くても、ＩＤによって通常の特殊景品と発行日が書き換えられた期限切れ景品とを区別することができるためである。
【００４６】
リスト報告部２１２は、遊技店の締め時に記憶部２０４に記憶されている発行リスト２０４ａ、買取リスト２０４ｂ、未買取リスト２０４ｃ、および書換リスト２０４ｄをホールコンピュータ１０へ報告する。ホールコンピュータ１０は、リスト報告部２１２から報告される上記のリストを当日の収支データに反映することにより、収支管理を行う。リスト報告部２１２からホールコンピュータ１０へ報告されるリストの中には、書換リスト２０４ｄが含まれており、未買取リスト２０４ｃにも書換リスト２０４ｄの情報が反映されているため、期限切れ景品の発行日を書き換えるという例外的な処理が行われても、ホールコンピュータ１０における収支管理を効率的に行うことができる。
【００４７】
次いで、上記のように構成された景品管理装置２０による特殊景品発行時の動作について、図５に示すフロー図を参照しながら説明する。
【００４８】
まず、遊技客が遊技によって獲得した玉を計数機３０によって計数し、計数結果が記載されたレシートを景品管理装置２０へ持参する。このレシートから、景品管理装置２０の玉数読取部２０１によって遊技客が遊技によって獲得した玉数が読み取られ（ステップＳ１０１）、読み取られた玉数が景品数算出部２０２へ通知され、景品数算出部２０２によって玉数に応じた特殊景品数および余り玉数が算出される（ステップＳ１０２）。
【００４９】
景品数算出部２０２によって算出された特殊景品数は、景品発行部２０３へ通知され、景品発行部２０３によって、ＩＤおよび発行日が記録されたＩＣカードが通知された特殊景品数だけ発行される（ステップＳ１０３）。さらに、景品発行部２０３によって、発行したＩＣカードに記録されたＩＤ、発行日、および各ＩＣカードの種類（すなわち、大・中・小）が記憶部２０４の発行リスト２０４ａに登録される（ステップＳ１０４）。
【００５０】
このような発行リスト２０４ａの更新は、遊技店の営業中は随時行われ、遊技店が開店してから閉店するまでに発行されるすべての特殊景品が発行リスト２０４ａに登録されることになる。そして、遊技店の閉店時などの締め時には、買取所にて買い取られたＩＣカードの買取リスト２０４ｂが買取所からフィードバックされて記憶部２０４に記憶される。その後、未買取リスト生成部２０５によって、発行リスト２０４ａに登録されており、かつ買取リスト２０４ｂに登録されていない特殊景品が未買取リスト２０４ｃに登録される。
【００５１】
また、遊技店の締め時において、買取リスト２０４ｂに登録されているが発行リスト２０４ａに登録されていない特殊景品がある場合、この特殊景品は、期限切れ景品が発行日を書き換えられて買い取られたものと考えられるため、未買取リスト生成部２０５によって未買取リスト２０４ｃが確認される。上述したように、書換リスト２０４ｄに登録された特殊景品については、未買取リスト２０４ｃの対応部分にフラグが立てられているため、未買取リスト生成部２０５によってフラグが確認されると、未買取リスト２０４ｃにおけるこの特殊景品の景品情報は削除される。
【００５２】
このようにして、遊技店の締め時には、発行リスト２０４ａ、買取リスト２０４ｂ、および未買取リスト２０４ｃがすべて最新の状態に更新され、書換リスト２０４ｄを含むすべてのリストの内容がリスト報告部２１２によってホールコンピュータ１０へ報告される。
【００５３】
次に、景品管理装置２０に遊技客が期限切れ景品を持参した場合の動作について、図６に示すフロー図を参照しながら説明する。
【００５４】
期限切れ景品が景品管理装置２０へ持参されると、景品情報読取部２０６によって、期限切れ景品に記録されているＩＤおよび発行日などの景品情報が読み取られる（ステップＳ２０１）。そして、景品ＩＤ照合部２０７によって、期限切れ景品のＩＤが未買取リスト２０４ｃに登録されているか否かが判定される（ステップＳ２０２）。この判定の結果、期限切れ景品のＩＤが未買取リスト２０４ｃに登録されていなければ（ステップＳ２０２Ｎｏ）、期限切れ景品が前日以前に景品管理装置２０によって正規に発行された特殊景品ではないか、または当日に発行されたばかりの特殊景品であると判断され、表示部２０９に期限切れ景品が正規の特殊景品ではない旨か、または買取期間を超過していない旨のエラーメッセージが表示される（ステップＳ２０３）。なお、期限切れ景品が不正な特殊景品であるか当日に発行されたばかりの特殊景品であるかは、期限切れ景品に記録されている発行日から判断することができる。
【００５５】
一方、期限切れ景品のＩＤが未買取リスト２０４ｃに登録されていれば（ステップＳ２０２Ｙｅｓ）、期限切れ景品が前日以前に景品管理装置２０によって正規に発行されたものであると判断され、発行日判定部２０８によって、期限切れ景品の買取期間を超過しているか否かが期限切れ景品に記録された発行日から判定される（ステップＳ２０４）。この判定の結果、期限切れ景品の買取期間を超過していなければ（ステップＳ２０４Ｎｏ）、期限切れ景品はそのまま買取所にて買い取ってもらうことができるため、表示部２０９に景品管理装置２０での処理が不要である旨のエラーメッセージが表示される（ステップＳ２０５）。ただし、ここでは、特殊景品の買取期間を発行当日のみとしているため、当日に発行された特殊景品以外については、発行日判定部２０８によって、期限切れ景品の買取期間を超過していないと判定されることはない。
【００５６】
したがって、発行日判定部２０８によって、期限切れ景品の買取期間を超過していると判定され（ステップＳ２０４Ｙｅｓ）、発行日書換部２１０によって、期限切れ景品に記録されている発行日が当日の日付に書き換えられる（ステップＳ２０６）。また、同時に、発行日書換部２１０によって、期限切れ景品に新たなＩＤが付与される。期限切れ景品の新たな発行日（書換日）およびＩＤは、記憶部２０４へ出力され、旧発行日および旧ＩＤと関連付けられて書換リスト２０４ｄに登録される（ステップＳ２０７）。
【００５７】
そして、期限切れ景品の情報が書換リスト２０４ｄに登録されると、この期限切れ景品は、買取所にて買取可能となっているため、未買取リスト更新部２１１によって、未買取リスト２０４ｃの該当する特殊景品の情報に特定のフラグが立てられ、未買取リスト２０４ｃが更新される（ステップＳ２０８）。このようにして、発行日が書き換えられて買取所における買い取りが可能となった期限切れ景品については、未買取リスト２０４ｃにおいて他の特殊景品と区別されるようになる。このため、この日に買取可能となった期限切れ景品が買取所にて買い取られれば、この日の締め時には、未買取リスト生成部２０５が期限切れ景品の情報のフラグを確認し、未買取リスト２０４ｃから削除することが可能となる。また、発行日が書き換えられた特殊景品の情報が書換リスト２０４ｄとして区別して残されるため、リスト報告部２１２によって記憶部２０４に記憶されたリストがホールコンピュータ１０へ報告されることにより、ホールコンピュータ１０は、効率良く収支データを管理することができる。
【００５８】
以上のように、本実施の形態によれば、買取期間を超過した特殊景品については、遊技店にて発行日を書き換えて買取可能にするとともに、発行日が書き換えられた特殊景品に関する情報を独立したリストとして保持して管理する。このため、買取期間を超過した特殊景品を所持している遊技客がこの特殊景品を買取所で買い取ってもらうことができるようになり、悪意がない遊技客を救済することができると同時に、このような例外的な処理については通常の特殊景品の発行と区別して管理し、収支データの不整合を防止することができる。
【００５９】
（実施の形態２）
本発明の実施の形態２の特徴は、期限切れ景品の発行日を書き換える代わりに、期限切れ景品を当日発行の新規の特殊景品に交換する点である。
【００６０】
図７は、本実施の形態に係る景品管理装置２０の要部構成を示すブロック図である。同図において、図２と同じ部分には同じ符号を付し、その説明を省略する。図７に示す景品管理装置２０は、玉数読取部２０１、景品数算出部２０２、景品発行部３０１、記憶部３０２、未買取リスト生成部２０５、景品情報読取部２０６、景品ＩＤ照合部２０７、発行日判定部２０８、表示部２０９、交換制御部３０３、未買取リスト更新部３０４、およびリスト報告部２１２を有している。
【００６１】
景品発行部３０１は、景品数算出部２０２によって算出された数の特殊景品を発行する。このとき、景品発行部３０１は、特殊景品に固有のＩＤおよび発行日を記録し、特殊景品を発行すると同時にＩＤおよび発行日を記憶部３０２へ出力する。また、景品発行部３０１は、交換制御部３０３の制御に従って、期限切れ景品と交換される新規の特殊景品を発行する。このときには、景品発行部３０１は、新規の特殊景品のＩＤおよび発行日を記憶部３０２へ出力しない。
【００６２】
記憶部３０２は、景品発行部３０１によって発行された特殊景品のリストである発行リスト２０４ａ、買取所にて買い取られた特殊景品のリストである買取リスト２０４ｂ、発行されたものの買取所で買い取られていない特殊景品のリストである未買取リスト２０４ｃ、および交換制御部３０３の制御によって期限切れ景品と交換された特殊景品のリストである交換リスト３０２ｄ（特許請求の範囲の「変換リスト」に対応）を記憶する。
【００６３】
交換リスト３０２ｄは、例えば図８に示すように、未買取リスト２０４ｃに記録されている特殊景品のうち、交換制御部３０３の制御によって交換されて買取可能となった特殊景品のＩＤ、交換日、種類、旧ＩＤ、および旧発行日などを列挙したリストである。交換リスト３０２ｄは、発行されたものの発行当日（すなわち、買取期間内）に買取所で買い取られず、後日遊技客が遊技店に持参して交換された特殊景品の一覧である。この交換リスト３０２ｄが記憶部３０２に記憶されていることにより、特殊景品を新たなものに交換して再び買取可能にするという例外的な処理を行っても、収支データの管理を効率的に行って整合性を確保することができる。
【００６４】
交換制御部３０３は、景品ＩＤ照合部２０７によるＩＤ照合の結果、期限切れ景品が正当なものであり、かつ発行日判定部２０８による発行日判定の結果、期限切れ景品の買取期間を超過している場合に、景品発行部３０１を制御して期限切れ景品の代わりに新たな特殊景品を発行させ、新たにＩＤを割り当てて、新たな発行日（交換日）およびＩＤを旧発行日および旧ＩＤに対応付けて交換リスト３０２ｄに登録する。なお、交換制御部３０３は、交換される新たな特殊景品のＩＤについては、景品発行部３０１によって通常発行される特殊景品のＩＤと区別できるものにしても良い。すなわち、例えば景品発行部３０１から通常発行される特殊景品のＩＤには図３−１に示すように「０」から始まるＩＤが付与されるのに対し、交換制御部３０３は、期限切れ景品と交換される新たな特殊景品のＩＤには、図８に示すように「１」から始まるＩＤを付与する。
【００６５】
未買取リスト更新部３０４は、未買取リスト２０４ｃにおいて、交換リスト３０２ｄに登録された期限切れ景品に関する情報に特定のフラグを立て、未買取リスト２０４ｃを更新する。期限切れ景品は、交換制御部３０３の制御によって新規の特殊景品に交換されることにより買取可能となって、買取所で買い取られることになるため、未買取リスト２０４ｃにおいて他の特殊景品と区別される。なお、期限切れ景品と交換された新たな特殊景品のＩＤが景品発行部３０１によって通常発行される特殊景品のＩＤと区別されている場合は、未買取リスト２０４ｃにおいて期限切れ景品に関する情報にフラグを立てなくても良い。これは、フラグが無くても、ＩＤによって通常の特殊景品と期限切れ景品と交換された新たな特殊景品とを区別することができるためである。
【００６６】
次いで、上記のように構成された景品管理装置２０に遊技客が期限切れ景品を持参した場合の動作について、図９に示すフロー図を参照しながら説明する。なお、同図において、図６と同じ部分には同じ符号を付し、その詳しい説明を省略する。
【００６７】
期限切れ景品が景品管理装置２０へ持参されると、景品情報読取部２０６によって景品情報が読み取られ（ステップＳ２０１）、景品ＩＤ照合部２０７によって期限切れ景品のＩＤが未買取リスト２０４ｃに登録されているか否かが判定される（ステップＳ２０２）。この判定の結果、期限切れ景品のＩＤが未買取リスト２０４ｃに登録されていなければ（ステップＳ２０２Ｎｏ）、表示部２０９にエラーメッセージが表示される（ステップＳ２０３）。
【００６８】
一方、期限切れ景品のＩＤが未買取リスト２０４ｃに登録されていれば（ステップＳ２０２Ｙｅｓ）、発行日判定部２０８によって、期限切れ景品の買取期間を超過しているか否かが期限切れ景品に記録された発行日から判定される（ステップＳ２０４）。この判定の結果、期限切れ景品の買取期間を超過していなければ（ステップＳ２０４Ｎｏ）、表示部２０９にエラーメッセージが表示される（ステップＳ２０５）。ただし、ここでは、特殊景品の買取期間を発行当日のみとしているため、当日に発行された特殊景品以外については、発行日判定部２０８によって、期限切れ景品の買取期間を超過していないと判定されることはない。
【００６９】
したがって、発行日判定部２０８によって、期限切れ景品の買取期間を超過していると判定され（ステップＳ２０４Ｙｅｓ）、交換制御部３０３によって、景品発行部３０１が制御され、期限切れ景品と交換する新たな特殊景品が発行される（ステップＳ３０１）。また、同時に、交換制御部３０３によって、新たに発行される特殊景品のＩＤが決定される。期限切れ景品と交換された新たな特殊景品の発行日（交換日）およびＩＤは、記憶部３０２へ出力され、旧発行日および旧ＩＤと関連付けられて交換リスト３０２ｄに登録される（ステップＳ３０２）。
【００７０】
そして、交換された特殊景品の情報が交換リスト３０２ｄに登録されると、この特殊景品は、買取所にて買取可能となっているため、未買取リスト更新部２１１によって、未買取リスト２０４ｃの該当する特殊景品の情報に特定のフラグが立てられ、未買取リスト２０４ｃが更新される（ステップＳ３０３）。このようにして、新たな特殊景品に交換されて買取所における買い取りが可能となった期限切れ景品については、未買取リスト２０４ｃにおいて他の特殊景品と区別されるようになる。このため、この日に買取可能となった期限切れ景品が買取所にて買い取られれば、この日の締め時には、未買取リスト生成部２０５が期限切れ景品の情報のフラグを確認し、未買取リスト２０４ｃから削除することが可能となる。また、期限切れ景品と交換された新たな特殊景品の情報が交換リスト３０２ｄとして区別して残されるため、リスト報告部２１２によって記憶部３０２に記憶されたリストがホールコンピュータ１０へ報告されることにより、ホールコンピュータ１０は、効率良く収支データを管理することができる。
【００７１】
以上のように、本実施の形態によれば、買取期間を超過した特殊景品については、遊技店にて新たな特殊景品に交換して買取可能にするとともに、新たな特殊景品に交換された特殊景品に関する情報を独立したリストとして保持して管理する。このため、買取期間を超過した特殊景品を所持している遊技客がこの特殊景品を買取所で買い取ってもらうことができるようになり、悪意がない遊技客を救済することができると同時に、このような例外的な処理については通常の特殊景品の発行と区別して管理し、収支データの不整合を防止することができる。
【００７２】
なお、上記各実施の形態においては、発行日が書き換えられた期限切れ景品の書換リストまたは新たな特殊景品と交換された期限切れ景品の交換リストを発行リストと完全に分離して記憶するものとしたが、発行リストと書換リストまたは交換リストとを一体にして、フラグなどで上記の期限切れ景品を区別するようにしても良い。また、上記の期限切れ景品と通常の特殊景品とがＩＤによって区別される場合は、発行日が書き換えられるか、または新たな特殊景品と交換される際に、期限切れ景品に付与されるＩＤをそのまま発行リストに登録するようにしても良い。これらいずれの場合も、実質的には、上記実施の形態における書換リストまたは交換リストが発行リストに含まれているのと同義であり、ホールコンピュータによる収支データの管理において不整合を防止することができる。
【００７３】
また、上記各実施の形態においては、景品管理装置２０が景品情報読取部２０６を有する構成としたが、景品情報読取部２０６の代わりに同様の機能を果たす景品チェッカーを景品管理装置２０に外付けで接続するようにしても良い。同様に、景品管理装置２０が景品発行部２０３、３０１を有する構成としたが、景品発行部２０３、３０１の代わりに同様の機能を果たす景品払出機を外付けで接続するようにしても良い。これらのようにすることにより、各装置のレイアウトを自由に変更することができるとともに、形状・サイズなどが異なる特殊景品に対しても本発明を容易に適用することができる。
【産業上の利用可能性】
【００７４】
本発明は、悪意がない遊技客を救済することができると同時に、収支データの不整合を防止する場合に適している。
【図面の簡単な説明】
【００７５】
【図１】本発明の実施の形態に係る景品交換システムの概略を示す図である。
【図２】本発明の実施の形態１に係る景品管理装置の要部構成を示すブロック図である。
【図３−１】実施の形態１に係る発行リストの一例を示す図である。
【図３−２】実施の形態１に係る買取リストの一例を示す図である。
【図３−３】実施の形態１に係る未買取リストの一例を示す図である。
【図４】実施の形態１に係る書換リストの一例を示す図である。
【図５】実施の形態１に係る景品発行時の動作を示すフロー図である。
【図６】実施の形態１に係る期限切れ景品に対する処理の動作を示すフロー図である。
【図７】本発明の実施の形態２に係る景品管理装置の要部構成を示すブロック図である。
【図８】実施の形態２に係る交換リストの一例を示す図である。
【図９】実施の形態２に係る期限切れ景品に対する処理の動作を示すフロー図である。
【符号の説明】
【００７６】
２０１  玉数読取部
２０２  景品数算出部
２０３、３０１  景品発行部
２０４、３０２  記憶部
２０４ａ  発行リスト
２０４ｂ  買取リスト
２０４ｃ  未買取リスト
２０４ｄ  書換リスト
３０２ｄ  交換リスト
２０５  未買取リスト生成部
２０６  景品情報読取部
２０７  景品ＩＤ照合部
２０８  発行日判定部
２０９  表示部
２１０  発行日書換部
２１１、３０４  未買取リスト更新部
２１２  リスト報告部
３０３  交換制御部
【図１】
2007135765.tif 000003
【図２】
2007135765.tif 000004
【図３−１】
2007135765.tif 000005
【図３−２】
2007135765.tif 000006
【図３−３】
2007135765.tif 000007
【図４】
2007135765.tif 000008
【図５】
2007135765.tif 000009
【図６】
2007135765.tif 000010
【図７】
2007135765.tif 000011
【図８】
2007135765.tif 000012
【図９】
2007135765.tif 000013